(57)【要約】  携帯電話機Ｐの表面に貼り付ける本体１と、これにチェーン２を介して吊り下げられる副体１ｄとから成り、本体１の基台１ｂの表面側に装飾を施したものとしたのであり、携帯電話機Ｐの表面に貼り付けると、本体１が携帯電話機Ｐ自体に立体感のある質感に優れた装飾性を付与すると共に、本体１から吊り下げられた副体がペンダント状に揺れ動いて、装飾性が高められる。  また、携帯電話機用装飾具の販売用台紙によれば、携帯電話機用装飾具が脱落し難く見栄え良く取り付けることができる一方、取り外しを容易に行うことが可能となる。【特許請求の範囲】
【請求項１】
携帯電話機の表面に貼り付ける本体と、
これにチェーンを介して吊り下げられる副体と、
から成り、前記本体の基台の表面側に装飾を施した携帯電話機用装飾具であって、前記本体の基台の裏面側に粘着面を有する携帯電話機用装飾具。
【請求項２】
前記粘着面は、前記基台に対する垂直方向の粘着力と、ねじり方向の粘着力とを比較すると、ねじり方向の粘着力が弱いという特性を有する請求項１に記載の携帯電話機用装飾具。
【請求項３】
前記本体に、多数の切溝を形成して可撓性を付与した請求項１または２に記載の携帯電話機用装飾具。
【請求項４】
長尺平基板の表面に宝石状の装飾が設けられ、裏面に粘着面を有する携帯電話機用装飾具の販売用台紙であって、
前記携帯電話機用装飾具が当接する販売用台紙において、前記長尺平基板の裏面に沿ってそれぞれ外方に開放される一対の切り込み片が設けられ、
前記一対の切り込み片の各前記切り込み基部に輪ゴムが懸架され、前記切り込み基部から前記販売用台紙面の表面側に引き出された輪ゴムが前記携帯電話機用装飾具の表面を幅方向に緊締することで、前記携帯電話機用装飾具を前記販売用台紙の方向に付勢し、脱落を防止するようにした携帯電話機用装飾具の販売用台紙。
【請求項５】
長尺平基板の表面に宝石状の装飾が設けられ、裏面に粘着面を有する携帯電話機用装飾具の販売用台紙であって、
前記携帯電話機用装飾具が当接する販売用台紙において、前記長尺平基板の対向する側面に沿ってそれぞれ中央に延出する一対の切り込み片が設けられ、
前記一対の切り込み片の各前記切り込み基部に輪ゴムが懸架され、前記切り込み基部から前記販売用台紙面の表面側に引き出された輪ゴムが前記携帯電話機用装飾具の表面を幅方向に緊締することで、前記携帯電話機用装飾具を前記販売用台紙の方向に付勢し、脱落を防止するようにした携帯電話機用装飾具の販売用台紙。
【請求項６】
前記輪ゴムは、前記販売用台紙に設けられた一対の切り込み片の台紙裏面側の前記切り込み基部間をＸ状に架けられていることを特徴とする請求項４または請求項５に記載の携帯電話機用装飾具の販売用台紙。
【請求項７】
前記携帯電話機用装飾具の宝石状の装飾を備えたイヤリング、ネックレス、リング等の装飾具を取り付けるための穴部又は切り込み片が併設されていることを特徴とする請求項４から請求項６のいずれかに記載の携帯電話機用装飾具の販売用台紙。
【発明の詳細な説明】
【技術分野】
【０００１】
この発明は、携帯電話機に装飾用に取り付ける携帯電話機用装飾具に関するものである。また、本発明は、携帯電話機用装飾具を販売する際に用いる携帯電話機用装飾具の販売用台紙に関するものである。
【背景技術】
【０００２】
一般に、携帯電話機を装飾するには、人形等の飾り物を結え付けたストラップを携帯電話機に紐穴を介して取り付けたり、各種デザインの印刷されたシールを携帯電話機の表面に貼り付けたりすることが多い。
【発明の開示】
【発明が解決しようとする課題】
【０００３】
しかしながら、前記ストラップでは、飾り物が携帯電話機から離れてぶら下がった状態となるので、携帯電話機自体の装飾性に乏しく、シールの貼り付けでは、装飾が平面的で質感に欠けるものとなる問題点があった。【０００４】
また、携帯電話機用の装飾具を販売するに際しては、店頭等で見栄え良くディスプレイして、顧客の販売意欲を促進させることが必要とされる。例えば、携帯電話機用の装飾具を単体でディスプレイすることも考えられるが、単体のみのディスプレイでは顧客によってはその利用方法が理解できないことも考えられる。従って、商品の説明を付した台紙等に取り付けて、台紙に付された状態で店頭に陳列することが望ましい。【０００５】
このような携帯電話機用の装飾具の販売用台紙としては、例えば、図１２、図１３に示すものが用いられていた。この販売用台紙１００には、携帯電話機用の装飾具１０１の左右側部を締結する紐を通す孔１０２が形成されている。携帯電話機用の装飾具１０１の表面の左右側部を紐１０３で懸架し、その紐１０３を裏面で結ぶことにより、携帯電話機用の装飾具１０１を販売用台紙１００に固定していた。【０００６】
しかし、前記販売用台紙１００は、携帯電話機用の装飾具１０１を二本の紐１０３で締結しているため、いずれか一方の脱落により、他方の締結が緩み、携帯電話機用装飾具１０１が販売用台紙１００から脱落してしまうおそれがあった。さらに、販売用台紙１００から携帯電話機用装飾具１０１を取り外す際、左右両方の締結をそれぞれ解除しなければならず、取り外し作業が煩雑であった。【０００７】
そこで、本発明は、前記種々の問題に鑑みてなされたものであり、携帯電話機に質感に優れた装飾性を付与できる携帯電話機用装飾具を提供することを課題とする。【０００８】
また、本発明は、携帯電話機用装飾具が脱落し難く見栄え良く取り付けることができる一方、取り外しが容易な携帯電話機用装飾具の販売用台紙を提供することを課題とする。
【課題を解決するための手段】
【０００９】
上記課題を解決するため、この発明に係る携帯電話機用装飾具は、以下の手段を採用した。【００１０】
この発明に係る携帯電話機用装飾具は、携帯電話機の表面に貼り付ける本体と、これにチェーンを介して吊り下げられる副体とから成り、前記本体の基台の表面側に装飾を施した携帯電話機用装飾具であって、前記本体の基台の裏面側に粘着面を有する。【００１１】
また、前記粘着面は、前記基台に対する垂直方向の粘着力と、ねじり方向の粘着力とを比較すると、ねじり方向の粘着力が弱いという特性を有する。【００１２】
また、前記本体に、多数の切溝を形成して可撓性を付与したものである。このように、可撓性を付与した本体を携帯電話機の表面に合わせて湾曲させると、密着性を高めて本体を確実に携帯電話機に貼り付けることができる。【００１３】
また、本発明は、長尺平基板の表面に宝石状の装飾が設けられ、裏面に粘着面を有する携帯電話機用装飾具の販売用台紙であって、前記携帯電話機用装飾具が当接する販売用台紙において、前記長尺平基板の裏面に沿ってそれぞれ外方に開放される一対の切り込み片が設けられ、前記一対の切り込み片の各前記切り込み基部に輪ゴムが懸架され、前記切り込み基部から前記販売用台紙面の表面側に引き出された輪ゴムが前記携帯電話機用装飾具の表面を幅方向に緊締することで、前記携帯電話機用装飾具を前記販売用台紙の方向に付勢し、脱落を防止するようにした携帯電話機用装飾具の販売用台紙である。【００１４】
本発明によれば、前記長尺平基板の裏面に沿ってそれぞれ外方に開放される一対の切り込み片の各切り込み基部に輪ゴムを懸架して、この切り込み基部から販売用台紙の表面側に引き出された輪ゴムによって携帯電話機用装飾具を緊結することができる。また、前記輪ゴムは、切り込み基部から販売用台紙面の表面側に引き出され、張力が発生しているため、携帯電話機用装飾具を販売用台紙側に付勢した状態で支持することができる。【００１５】
すなわち、前記輪ゴムによって販売用台紙側に携帯電話機用装飾具を付勢して、輪ゴムの弾性力により携帯電話機用装飾具を支持するため、携帯電話機用装飾具の脱落を防止することができる。また、前記輪ゴムは弾力性を有し伸縮自在であるため、携帯電話機用装飾具を販売用台紙から取り外す際は、輪ゴムを更に伸ばし携帯電話機用装飾具への締結を容易に解除することができる。【００１６】
また、本発明に係る携帯電話機用装飾具の販売用台紙は、長尺平基板の表面に宝石状の装飾が設けられ、裏面に粘着面を有する携帯電話機用装飾具の販売用台紙であって、前記携帯電話機用装飾具が当接する販売用台紙において、前記長尺平基板の対向する側面に沿ってそれぞれ中央に向かって延出する一対の切り込み片が設けられ、前記一対の切り込み片の各前記切り込み基部に輪ゴムが懸架され、前記切り込み基部から前記販売用台紙面の表面側に引き出された輪ゴムが前記携帯電話機用装飾具の表面を幅方向に緊締することで、前記携帯電話機用装飾具を前記販売用台紙の方向に付勢し、脱落を防止するようにした携帯電話機用装飾具の販売用台紙である。【００１７】
本発明は、前記長尺平基板の対向する側面に沿ってそれぞれ中央に向かって延出する一対の切り込み片の各切り込み基部に輪ゴムを懸架して、この切り込み基部から販売用台紙の表面側に引き出された輪ゴムによって携帯電話機用装飾具を緊結することができる。前記輪ゴムは、切り込み基部から販売用台紙面の表面側に引き出され、張力が発生しているため、携帯電話機用装飾具を販売用台紙側に付勢した状態で支持することができる。【００１８】
すなわち、前記販売用台紙によっても、販売用台紙側に携帯電話機用装飾具を輪ゴムによって付勢して、輪ゴムの弾性力により携帯電話機用装飾具を支持するため、携帯電話機用装飾具の脱落を防止することができる。また、前記輪ゴムは弾力性を有し伸縮自在であるため、携帯電話機用装飾具を販売用台紙から取り外す際は、輪ゴムを伸ばし携帯電話機用装飾具への緊結を容易に解除することができる。【００１９】
また、本発明に係る携帯電話機用装飾具の販売用台紙は、前記輪ゴムが、前記販売用台紙に設けられた一対の切り込み片の台紙裏面側の前記切り込み基部間をＸ状に架けられていることが望ましい。【００２０】
前記輪ゴムが前記切り込み基部間にＸ状に架けられていることにより、切り込み基部間の中心に向かって力が加わり、切り込み基部間の強度を高めることができる。また、前記構成により、携帯電話機用装飾具を一対の切り込み片の中心に向かって付勢した状態で支持することができる。切り込み片の中心に向かって付勢することにより、携帯電話機用装飾具が移動しにくくなり、更なる脱落防止効果が期待される。【００２１】
さらに、本発明に係る携帯電話機用装飾具の販売用台紙は、前記携帯電話機用装飾具の宝石状の装飾を備えたイヤリング、ネックレス、リング等の装飾具を取り付けるための穴部又は切り込み部が併設されてもよい。前記装飾具を取り付けるための孔部又は切り込み部を形成することにより、前記携帯電話機用装飾具と併せて、使用者が身に付けるイヤリング等の装飾具を取り付けることができる。前記装飾具には、携帯電話機用装飾具の宝石状の装飾を備えているため、携帯電話機用装飾具と一体化し、組み合わせによって美観が向上し、販売促進効果を期待することができる。
【発明の効果】
【００２２】
本発明に係る携帯電話機用装飾具は、携帯電話機の表面に貼り付けると、本体が携帯電話機自体に立体感のある質感に優れた装飾性を付与すると共に、本体から吊り下げられた副体がペンダント状に揺れ動いて、装飾性が高められる。【００２３】
また、携帯電話機用装飾具を携帯電話機に貼り付けると、引張方向の力に対しては剥がれにくい一方で、ねじり方向の力に対しては引張方向の力に比して剥がれ易いので貼り付け、取り外しが容易である。【００２４】
更に、本発明に係る携帯電話機用装飾具の販売用台紙によれば、携帯電話機用装飾具が脱落し難く見栄え良く取り付けることができる一方、取り外しを容易に行うことが可能となる。
【図面の簡単な説明】
【００２５】
【図１】実施の形態１に係る携帯電話機用装飾具を携帯電話機に取り付けた状態を示す斜視図である。
【図２】携帯電話機用装飾具の本体の湾曲状態を示す長手方向断面図である。
【図３】携帯電話機に貼り付けた装飾具を垂直方向およびねじり方向に引っ張って荷重試験を行った場合の説明図である。
【図４】実施の形態２の実施例１に係る携帯電話機用装飾具の販売用台紙１０の平面図である（表面）。
【図５】実施例１に係る携帯電話機用装飾具の販売用台紙１０の平面図である（裏面）。
【図６】実施例１に係る携帯電話機用装飾具の販売用台紙１０の側面図である。
【図７】実施の形態２の実施例２に係る携帯電話機用装飾具の販売用台紙２０の平面図である（表面）。
【図８】実施例２に係る携帯電話機用装飾具の販売用台紙２０の平面図である（裏面）。
【図９】実施例２に係る携帯電話機用装飾具の販売用台紙２０の平面図である（表面）。
【図１０】実施の形態２の実施例３に係る携帯電話機用装飾具の販売用台紙３０の平面図である（表面）。
【図１１】実施例３に係る携帯電話機用装飾具の販売用台紙４０の平面図である（表面）。
【図１２】従来の携帯電話機用装飾具の販売用台紙１００の平面図である（表面）。
【図１３】従来の携帯電話機用装飾具の販売用台紙１００の平面図である（裏面）。
【符号の説明】
【００２６】
１  携帯電話機用装飾具（本体）
１ａ  ストーン
１ｂ  長尺平基板（基台）
１ｃ  粘着部（両面テープ）
１ｄ  副体
１ｅ  装飾物
２  チェーン
３  輪ゴム
４  ピアス
５  ネックレス
６  切溝
１０、２０、３０、４０  販売用台紙
１１ａ、１１ｂ、２１ａ、２１ｂ  切り込み片
１２ａ、１２ｂ  切り込み線
【発明を実施するための最良の形態】
【００２７】
以下、この発明の実施形態を添付図面に基づいて説明する。
［実施の形態１］
図１に示すように、この携帯電話機用装飾具は、携帯電話機Ｐの表面にディスプレイ部分やカメラレンズ部分を避けて貼り付ける本体１と、この本体１にチェーン２を介して吊り下げられる副体１ｄとから構成される。【００２８】
本体１は、図１及び図２に示すように、金属メッキした横長帯状の基台１ｂの表面側に、宝石状の装飾物１ｅを固着して装飾を施すと共に、多数の切溝６（図２参照）を縦方向に形成して、可撓性を有するものとされ、基台１ｂの裏面には剥離紙で覆われた両面テープ（粘着部）１ｃが貼着されている。【００２９】
副体１ｄは、本体１と同様の装飾を施した小型の飾り物とされている。この副体１ｄは、チェーン２に対して着脱可能とし、十字型や星形等、様々なデザインのものに交換できるようにしておくとよい。【００３０】
上記のような携帯電話機用装飾具を携帯電話機に取り付ける際には、本体１の裏側の両面テープ１ｃから剥離紙を剥がし、本体１を携帯電話機Ｐの表面の曲率に合わせて湾曲させ、密着性を高めた状態で、携帯電話機Ｐの表面に貼り付ける。【００３１】
このように装飾具を携帯電話機Ｐに取り付けると、本体１が携帯電話機Ｐ自体に立体感のある質感に優れた装飾性を付与すると共に、本体１から吊り下げられた副体１ｄがペンダント状に揺れ動いて、装飾性が高められる。【００３２】
また、可撓性を付与した本体を携帯電話機Ｐの表面に合わせて湾曲させると、密着性を高めて本体を確実に携帯電話機Ｐに貼り付けることができる。【００３３】
なお、両面テープ（粘着部）１ｃは、垂直荷重に強く、ねじり強度に弱いという特性を有している。以下、かかる特性を垂直・ねじりの双方の荷重試験を行って数値的に示す。【００３４】
（荷重試験）
携帯電話機用装飾具の粘着部が、垂直荷重に強く、ねじり強度に弱いという特性を、垂直・ねじりの双方の荷重試験を行った。【００３５】
（試料）
試料として、携帯電話機用装飾具の粘着部が長方形（チョウチョ形：25mm×６mm）のものを用いた。【００３６】
（試験項目）
１．粘着部（両面テープ）の材質鑑別
２．装飾具の金属部の材質鑑別
３．粘着部（両面テープ）の粘着力Ａ(引張強度)
４．粘着部（両面テープ）の粘着力Ｂ(ねじり強度)【００３７】
（試験方法）
１．提出された試料の粘着部分について、フーリエ変換赤外分光光度計により分析を行う。
２．提出された試料の金属部分について、マイクロエレメントモニター（蛍光Ｘ線分析装置）により分析を行う。
３．提出された試料の粘着部分をアクリル板に固定し、粘着面に対して垂直方向に引っ張るように定速伸長形試験機に取り付ける。引張速度１０ｍｍ／分で上方に引り張り、粘着部分が剥がれるときの強力を測定する。
４．提出された試料の粘着部分をアクリル板に固定し、粘着面に対して平行(ねじる)方向に引っ張るように定速伸長形試験機に取り付ける。引張速度１０ｍｍ／分で平行(ねじる)方向にねじり、粘着部分が剥がれるときの強力を測定する。【００３８】
（試験結果）
１．粘着部分の主成分は、アクリル系樹脂と推定される。
２．本体・金属部分
当該試料には、ニッケル、銅、亜鉛、カドニウムの各元素の存在が認められ、その構造は以下の内容であると推定される。
地素材：亜鉛、カドニウム
下地メッキ：銅
表面メッキ：ニッケル
３．引張強度：粘着力Ｎ（kgf）
試料：9.5(0.97)
４．ねじり強度：粘着力Ｎ（kgf）
試料：5.9(0.60)【００３９】
上記試験結果によれば、図３に示すように、両面テープ（粘着部）１ｃは、垂直荷重に強く、ねじり強度に弱い（引張強度＞ねじり強度）という特性が認められ、携帯電話機用装飾具１を携帯電話機Ｐに粘着部１ｃを介して貼り付けると、引張方向の力Ｆａに対しては剥がれにくい一方で、ねじり方向の力Ｆｂに対しては引張方向の力Ｆａに比して剥がれ易いので携帯電話機用装飾具１の貼り付け、取り外しが容易である。【００４０】
［実施の形態２］
以下、本発明の別の実施形態（実施の形態２）の実施例１〜３について図面を参照して詳細に説明する。
＜実施例１＞
図４、図５は、本実施例１に係る携帯電話機用装飾具の販売用台紙の平面図である。図４は表面であり、図５は裏面である。また、図６は、図４の側面図である。【００４１】
販売用台紙１０には、長尺平基板の表面に宝石状の装飾が設けられ、裏面に粘着面を有する携帯電話機用装飾具１が取り付けられており、前記長尺平基板の裏面に沿ってそれぞれ外方に開放される一対の切り込み片１１ａ，１１ｂが設けられている。前記切り込み片１１ａ，１１ｂの各前記切り込み基部には輪ゴム３が懸架されており、切り込み基部から販売用台紙１０の表面側に引き出された輪ゴム３が携帯電話機用装飾具１の表面を幅方向に緊締している。【００４２】
前記一対の切り込み片１１ａ，１１ｂは、携帯電話機用装飾具の幅方向において、販売用台紙１０の中央部から左右側方に向かってそれぞれ開放している。各切り込み片１１ａ，１１ｂの上下端部には二本の切り込み線１２ａ，１２ｂが形成されており、この切り込み線１２ａ，１２ｂ間が切り込み片１１ａ，１１ｂとなる。前記輪ゴム３は、前記切り込み線１２ａ，１２ｂに懸架されて、切り込み片１１ａ，１１ｂと携帯電話機用装飾具１とを締結する。【００４３】
前記携帯電話装飾具１は、その表面に複数配置された宝石状の装飾であるクリスタルガラス製のストーン１ａと、ストーン１ａを固定する長尺平基板１ｂと、長尺平基板１ｂの裏面に設けられ、当接することにより携帯電話機に固着可能な粘着部１ｃと、粘着部１ｃを覆う剥離紙（図示せず）と、前記長尺平基板と同様の装飾を施した副体１ｄと、を備えている。【００４４】
前記ストーン１ａは、光を受光することにより鮮やかな光沢を放ち、看者に美観を生じさせるものである。前記長尺平基板１ｂは、横幅が長く形成されており、前記ストーン１ａが埋め込まれ、複数のストーン１ａを一体化して保持している。【００４５】
前記粘着部１ｃは、携帯電話機本体と当接することにより固着可能な接着剤が付されている。前記粘着部１ｃは、使用時に前記剥離紙を剥がして携帯電話機に当接されることにより固着される。一旦携帯電話機に固着されると、携帯電話機の表面に対して垂直方向に離間するように外力を加えても動かず、携帯電話機の表面に沿った方向に動くように構成されている。このような構成により、通常の使用時においては、携帯電話機から携帯電話機用装飾具１を外れにくくすることができる。その一方、携帯電話機と携帯電話機用装飾具１をスライドさせることにより、容易に取り外すことができる。【００４６】
前記副体１ｄは、前記長尺平基板１ｂと同様のストーン１ａ又は同色の装飾が施されており、前記ストーン１ａと一体化して美観を向上させるものである。なお、本実施例１においては、副体１ｄと長尺平基板１ｂとの分離を防ぐため、溶接によって固定したが、例えば、着脱自在な連結具を用いて、副体１ｄと長尺平基板１ｂとを分離可能にして、必要に応じて副体１ｄを付け替えられるように構成してもよい。【００４７】
また、一般的な装飾具に使用される材料は、鉛と錫の合金が多用されているが、本実施例１に係る前記長尺平基板１ｂと副体１ｄは、亜鉛合金製とした。鉛と錫の合金は、安価であるという利点を有する一方、壊れやすく、鉛による人体への悪影響のおそれがあるという欠点を有する。携帯電話機用装飾具１は、携帯電話機に取り付け、使用者が常時ポケットや鞄などに収納して持ち運ぶことが想定され、安全性、耐久性が必要とされ、前記鉛と錫との合金では十分な安全性、耐久性を図ることが困難であった。これに対して、亜鉛合金は、高価であるが、壊れにくく人体への悪影響もないため、十分な安全性、耐久性を有する携帯電話機用装飾具を提供することができる。【００４８】
このような携帯電話機用装飾具１としては、株式会社サンクレストの商品名「ケイタイジュエル」が挙げられる。【００４９】
次いで、携帯電話機用装飾具の販売用台紙への取り付け方法について説明する。まず、販売用台紙１０に携帯電話機用装飾具１を配置する。前記一方の切り込み片１１ａに隣接する切り込み線１２ａに輪ゴム３を懸け、切り込み片１１ａと携帯電話機用装飾具１と縛るように、輪ゴム３を販売用台紙１０の裏面側に引き出す。【００５０】
裏面に引き出した輪ゴム３をＸ状になるように反転させて、他方の切り込み線１２ｂ側に引っ張る。この輪ゴム３を他方の切り込み線１２ｂに架け、販売用台紙１０の側部から表面に引き出す。引き出した輪ゴム３を他方の切り込み片１１ｂと携帯電話機用装飾具１に架けて、切り込み基部に配置する。これにより、図３に示すように携帯電話装飾具１を販売用台紙１０に取り付けることができる。【００５１】
このように取り付けられた携帯電話機用装飾具１は、輪ゴム３によって切り込み片１１ａ，１１ｂの中心側と販売用台紙１０の表面に付勢されているため、容易に販売用台紙１０から脱落しない。また、携帯電話機用装飾具１を取り外す際には、一方の切り込み片１１ａ，１１ｂに懸架されている輪ゴム３を取り外すことにより、容易に緊結を解除することができる。【００５２】
尚、本実施例１において、前記輪ゴム３を販売用台紙１０の裏面側で反転させ、Ｘ状に配置したが、予め中央部が締結された２つの輪を有する輪ゴムを用いることにより、前記反転する作業を省略することも可能である。【００５３】
＜実施例２＞
次いで、本発明に係る携帯電話機用装飾具の販売用台紙の他の実施例を図面に基づいて説明する。実施例２は、前記実施例１と切り込み片の構成が異なっている。尚、実施例１と同様の構成については、同符号を用いて説明を省略する。また、本実施例２以下においては、説明の便宜上前記副体１ｄが付されていない携帯電話機用装飾具１を例示して説明する。【００５４】
図７、図８は、実施例２に係る携帯電話機用装飾具１の販売用台紙２０の平面図である。図７は表面であり、図８は裏面である。【００５５】
販売用台紙２０には、長尺平基板１ｂの表面にストーン１ａが埋め込まれ、裏面に粘着面１ｃを有する携帯電話機用装飾具１が取り付けられており、前記長尺平基板１ｂ対向する左右側面に沿ってそれぞれ中央に延出する一対の切り込み片２１ａ，２１ｂが設けられている。前記切り込み片２１ａ，２１ｂの端部には輪ゴム３が懸架されており、切り込み片２１ａ，２１ｂの端部から販売用台紙１０の表面側に引き出された輪ゴム３が携帯電話機用装飾具１の表面を幅方向に緊締している。【００５６】
実施例２に係る販売用台紙２０は、実施例１と異なり、切り込み片２１ａ，２１ｂの端部が販売用台紙の側部に開放されておらず、半円形状である。前記輪ゴム３を懸架する際は、半円形状の切り込み片２１ａ，２１ｂを円弧部分を上方に持ち上げ、又は下方に押し下げて行う。【００５７】
この販売用台紙２０によっても、輪ゴム３によって切り込み片２１ａ，２１ｂの中央と、販売用台紙２０の表面に付勢した状態で携帯電話機用装飾具１を販売用台紙２０に取り付けることができる。また、輪ゴム３によって携帯電話機用装飾具１の両側部を緊結しているため、一方の側部の緊結を解除することにより、容易に販売用台紙２０から携帯電話機用装飾具１を取り外すことができる。【００５８】
また、前記携帯電話機用装飾具１を２つ並べて取り付ける際は、図９に示すように、実施例１に示した切り込み片１１ａ，１１ｂと実施例２に示した切り込み片２１ａ，１ｂとを組み合わせて設けても良く、前記実施形態に限らず、可能な限りこれらを組み合わせてもよい。【００５９】
＜実施例３＞
実施例３は、前記携帯電話機用装飾具１と使用者が身に付ける装飾具とを併せて取り付けた実施例である。尚、本実施例３の説明においても実施例１、２と同様の構成については同符号を用いて説明を省略する。【００６０】
図１０は、携帯電話機用装飾具１と装飾具としてのピアス４とを併せて取り付けた販売用台紙３０の平面図であり、図１１は、携帯電話機用装飾具１と装飾具としてのネックレス５を併せて取り付けた販売用台紙４０の平面図である。【００６１】
前記ピアス４及びネックレス５には、携帯電話機用装飾具１と同様のストーン１ａが付されており、一体化した美観を生じさせることができる。例えば、ピアス４と携帯電話機用装飾具１を併せて販売することにより、使用者は一方の耳にピアス４を付け、他方の耳側で携帯電話機用装飾具１を付した携帯電話機を使用して、左右両方に同様の装飾を施した装飾具を身につけることができる。【００６２】
尚、本実施例３では、使用者が身に付ける装飾具として、ピアス４とネックレス５とを例示して説明したが、本発明に係る販売用台紙はこれに限られず、例えば、イヤリング、ブレスレット、トゥリング、アンクレット、ボディピアス、ヘア装飾具、リング等の種々の装飾具を適用することができる。
【産業上の利用可能性】
【００６３】
本発明は、携帯電話機に取り付けて装飾用に利用できる他、携帯ゲーム機、携帯音声再生機、ＰＤＡ等携帯端末に取り付けて装飾用に利用できる。また、それら携帯端末用の装飾具を販売する際に用いる装飾具の販売用台紙に利用できる。
【図１】
2006022306.tif 000002
【図２】
2006022306.tif 000003
【図３】
2006022306.tif 000004
【図４】
2006022306.tif 000005
【図５】
2006022306.tif 000006
【図６】
2006022306.tif 000007
【図７】
2006022306.tif 000008
【図８】
2006022306.tif 000009
【図９】
2006022306.tif 000010
【図１０】
2006022306.tif 000011
【図１１】
2006022306.tif 000012
【図１２】
2006022306.tif 000013
【図１３】
2006022306.tif 000014
【国際調査報告】
2006022306.tif 000015
2006022306.tif 000016
2006022306.tif 000017
2006022306.tif 000018